(57)【要約】【目的】  防水性、曝露率、施工性および耐風性の全てにおいて優れた重ね葺きを実現することのできる、新しい平板瓦の葺き構造を提供する。【構成】  水切り用連結材（２）の軒側端部を下段の平板瓦（１）の棟側端部に重ね合わせて固定し、この水切り用連結材（２）が上段の平板瓦（１）の側端部突合せ部分の裏側に位置するように平板瓦（１）を棟側に向かって重ね葺く平板瓦の葺き構造において、水切り用連結材（２）の軒側端部に係止片（２３）を設け、この係止片（２３）により上段の平板瓦（１）の軒側端部を係止する。【選択図】図１
2005068778.tif 000002
【特許請求の範囲】
【請求項１】
水切り用連結材の軒側端部を下段の平板瓦の棟側端部に重ね合わせて固定し、この水切り用連結材が上段の平板瓦の側端部突合せ部分の裏側に位置するように平板瓦を棟側に向かって重ね葺く平板瓦の葺き構造であって、水切り用連結材の軒側端部に係止片が設けられており、この係止片により上段の平板瓦の軒側端部を係止するようになっていることを特徴とする平板瓦の葺き構造。
【請求項２】
係止片に水抜き穴が設けられていることを特徴とする請求項１記載の平板瓦の葺き構造。
【発明の詳細な説明】
【技術分野】
【０００１】
この出願の発明は、平板瓦を水切り用連結材を介在させて葺き重ねる、平板瓦の葺き構造に関するものである。
【背景技術】
【０００２】
従来、平板瓦について、水切り用連結材を用いることにより、左右に隣接する平板瓦間の防水性を確保した上で、各平板瓦の曝露率を向上させた葺き構造が知られており（たとえば特許文献１参照）、この葺き構造によって、平板瓦の曝露率を５０％以下から７０％以上へと大幅に改善することができ、施工性の向上ならびに屋根下地への負担軽減が可能になっている。
【特許文献１】特開２００２−２４２３７３号公報
【発明の開示】
【発明が解決しようとする課題】
【０００３】
しかしながら、上記のとおりに優れた葺き構造にあっても、平板瓦の固定がその棟側端部にて行われるものとなっているため、強風により平板瓦の軒側端部が煽られてバタツキ等の生じる恐れが考えられる。
【０００４】
そこで、以上のとおりの事情に鑑み、この出願の発明は、防水性、曝露率および施工性を向上できるだけでなく、耐風性をも向上させることのできる、新しい平板瓦の葺き構造を提供することを課題としている。
【課題を解決するための手段】
【０００５】
この出願の発明は、上記の課題を解決するものとして、第１には、水切り用連結材の軒側端部を下段の平板瓦の棟側端部に重ね合わせて固定し、この水切り用連結材が上段の平板瓦の側端部突合せ部分の裏側に位置するように平板瓦を棟側に向かって重ね葺く平板瓦の葺き構造であって、水切り用連結材の軒側端部に係止片が設けられており、この係止片により上段の平板瓦の軒側端部を係止するようになっていることを特徴とする平板瓦の葺き構造を提供する。
【０００６】
第２には、前記係止片に水抜き穴が設けられていることを特徴とする平板瓦の葺き構造を提供する。
【発明の効果】
【０００７】
上記第１の平板瓦の葺き構造によれば、水切り用連結材の介在により平板瓦の防水性、曝露率および施工性を向上できることはもちろんのこと、さらにその水切り用連結材先端に設けた係止片の存在により平板瓦の耐風性をも向上させることができるようになる。
【０００８】
上記第２の平板瓦の葺き構造によれば、上記第１の葺き構造と同様な効果が得られ、また係止片を設けても防水性を損ねることなく優れた耐風性を実現することができる。
【発明を実施するための最良の形態】
【０００９】
図１は、この出願の発明の一実施形態を示したものである。
【００１０】
この図１の実施形態では、まず、水切り用連結材（２）は、平板瓦（１）の縦方向幅と略同一な長さ寸法を有する短冊板状のものとなっており、その板本体（２１）の表面には、長手方向に沿っての水切り用の凸条部（２２）が複数設けられ、また板本体（２１）の軒側端部には、係止片（２３）が設けられてもいる。この係止片（２３）は、板本体（２１）の軒側端部、より具体的には先端縁部、から垂直立設された立上げ部（２３１）と、立上げ部（２３１）の上端から棟方向に折曲げ延設された折返し部（２３２）とから構成されている。
【００１１】
そして、この水切り用連結材（２）を適宜位置に介在させて、各平板瓦（１）を棟側に向けて重ね葺く。
【００１２】
より具体的には、水切り用連結材（２）の板本体（２１）の軒側端部を下段の平板瓦（１）の棟側端部上に重ね合わせ、その平板瓦（１）とともに固定ネジ（３）により屋根下地材（図示なし）にネジ固定させるようにして、且つ、水切り用連結材（２）の板本体（２１）全体を上段の左右に隣接する平板瓦（１）の側端部同士の突合せ目地部分の裏側に位置させるようにして、各平板瓦（１）を棟側に向けて葺き重ねていく。
【００１３】
このときさらに、水切り用連結材（２）の上記係止片（２３）にて、上段の平板瓦（１）の軒側端部を係止させる。
【００１４】
より具体的には、水切り用連結材（２）の板本体（２１）は平板瓦（１）の突合せ部分裏側に位置するので、その板本体（２１）上に載る突合せ部分の先端部が係止片（２３）の立上げ部（２３１）および折返し部（２３２）にて引っ掛けられる。言い換えると、上段の平板瓦（１）は、その突合せ部分の先端部を係止片（２３）に引っ掛けて水切り用連結材（２）上に載置されるのである。
【００１５】
これにより、平板瓦（１）は、強風が吹いたとしても係止片（２３）での先端部係止によってバタツキが効果的に抑制され、優れた耐風性の重ね葺きが実現されることとなる。
【００１６】
ここで、以上のとおりの係止片（２３）を具備させた場合においても水切り用連結材（２）の防水性能を一層十分に確保すべく、水切り用連結材（２）の係止片（２３）に水抜き穴（２３３）を設けることが好ましい。
【００１７】
より具体的には、上記のとおり水切り用連結材（２）の板本体（２１）表面には水切り用の凸条部（２２）が設けられており、平板瓦（１）間から漏れ入ってきた雨水は、凸条部（２２）間に形成される水切り溝部（２４）を軒方向に流れて、下段の平板瓦（１）表面に流れ出すのであるが、板本体（２１）の先端部には上記係止片（２３）が設けられている。したがって、この係止片（２３）が雨水を堰き止めることのないように、その適宜位置に、より好ましくはその立上げ部（２３１）の下部に、水抜き穴（２３３）を一つまたは複数設けるのである。
【００１８】
これにより、雨水は水抜き穴（２３３）を通って下段の平板瓦（１）上にスムーズに流れ出ることとなり、十分な防水性とともに優れた耐風性が実現されることとなる。
【００１９】
もちろん、この出願の発明は以上の実施形態に限定されるものではなく、細部については様々な態様が可能である。
【産業上の利用可能性】
【００２０】
以上詳しく説明した通り、この出願の発明によって、従来どおりの優れた防水性、曝露率および施工性を実現するとともに、優れた防水性をも実現することのできる、新しい平板瓦の葺き構造が提供される。
【図面の簡単な説明】
【００２１】
【図１】この出願の発明の一実施形態を示した斜視図である。
【図２】この出願の発明の一実施形態を示した別の斜視図である。
【符号の説明】
【００２２】
１  平板瓦
２  水切り用連結材
２１  板本体
２２  凸条部
２３  係止片
２３１  立上げ部
２３２  折返し部
２３３  水抜き穴
２４  水切り溝部
３  固定ネジ
【図１】
2005068778.tif 000003
【図２】
2005068778.tif 000004